(57)【特許請求の範囲】
【請求項１】
上りリンク又は下りリンクの少なくとも一方で、搬送波周波数が異なる主キャリア及び副キャリアを用いた通信を行っている移動局が、第１無線基地局配下から第２無線基地局配下にハンドオーバする場合に、該第１無線基地局が、該第２無線基地局に対して、該移動局が該第１無線基地局配下で接続していた主キャリアのサービングセル及び副キャリアにおけるサービングセルに係る情報を送信する工程を有し、 
前記工程において、前記第１無線基地局は、前記第２無線基地局に対して、前記主キャリアのサービングセルに係る情報として、前記移動局が該主キャリアのサービングセルにおいて接続していた時間を送信し、前記副キャリアのサービングセルに係る情報として、該移動局が該副キャリアのサービングセルを設定し且つアクティブ化していた時間を送信することを特徴とする移動通信方法。
【請求項２】
無線基地局であって、
上りリンク又は下りリンクの少なくとも一方で、搬送波周波数が異なる主キャリア及び副キャリアを用いた通信を行っている移動局が、前記無線基地局配下から他の無線基地局配下にハンドオーバする場合に、該他の無線基地局に対して、該移動局が該無線基地局配下で接続していた主キャリアのサービングセル及び副キャリアにおけるサービングセルに係る情報を送信するように構成されている送信部を具備し、 
前記送信部は、前記他の無線基地局に対して、前記主キャリアのサービングセルに係る情報として、前記移動局が該主キャリアのサービングセルにおいて接続していた時間を送信し、前記副キャリアのサービングセルに係る情報として、該移動局が該副キャリアのサービングセルを設定し且つアクティブ化していた時間を送信するように構成されていることを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥが、第１無線基地局ｅＮＢ配下から第２無線基地局ｅＮＢ配下にハンドオーバする場合に、かかるハンドオーバ手順（例えば、Ｓ１/Ｘ２ハンドオーバ手順）において、第１無線基地局ｅＮＢが、第２無線基地局ｅＮＢに対して、「ＵＥ  ｈｉｓｔｏｒｙ  ｉｎｆｏｒｍａｔｉｏｎ」を送信するように構成されている。
【０００３】
具体的には、図６に示すように、移動局ＵＥが、無線基地局ｅＮＢ＃２配下から無線基地局ｅＮＢ＃３配下にハンドオーバする場合に、かかるハンドオーバ手順において、無線基地局ｅＮＢ＃２が、無線基地局ｅＮＢ＃３に対して、「ＵＥ  ｈｉｓｔｏｒｙ  ｉｎｆｏｒｍａｔｉｏｎ」を送信するように構成されている。
【０００４】
ここで、「ＵＥ  ｈｉｓｔｏｒｙ  ｉｎｆｏｒｍａｔｉｏｎ」は、移動局ＵＥの「ＲＲＣ_ＣＯＮＮＥＣＴＥＤ」中における在圏セルに係る履歴情報である。
【０００５】
図６の例では、かかる「ＵＥ  ｈｉｓｔｏｒｙ  ｉｎｆｏｒｍａｔｉｏｎ」は、セル＃１において１６秒間接続していたことを示す情報や、セル＃２において３０秒間接続していたことを示す情報等を含む。
【０００６】
例えば、かかる「ＵＥ  ｈｉｓｔｏｒｙ  ｉｎｆｏｒｍａｔｉｏｎ」は、第２無線基地局ｅＮＢにおいてハンドオーバ先セルの候補を選択する際等に用いられる。
【先行技術文献】
【非特許文献】
【０００７】
【非特許文献１】３ＧＰＰ  ＴＳ３６.３００
【非特許文献２】３ＧＰＰ  ＴＳ３６.４１３
【非特許文献３】３ＧＰＰ  ＴＳ３６.４２３
【発明の概要】
【発明が解決しようとする課題】
【０００８】
ＬＴＥ-Ａｄｖａｎｃｅｄ方式では、移動局ＵＥが、無線基地局ｅＮＢとの間で、上りリンク又は下りリンクの少なくとも一方で、搬送周波数の異なる複数のＣＣ（Ｃｏｍｐｏｎｅｎｔ  Ｃａｒｒｉｅｒ）、すなわち、１つのＰＣＣ（Ｐｒｉｍａｒｙ  ＣＣ）及び１つ又は複数のＳＣＣ（Ｓｅｃｏｎｄａｒｙ  ＣＣ）を用いて、ＣＡ（Ｃａｒｒｉｅｒ  Ａｇｇｒｉｇａｔｉｏｎ）通信を行うことができるように構成されている。
【０００９】
かかるＣＡ通信を行っている移動局ＵＥは、かかるＰＣＣにおけるサービングセルであるＰｃｅｌｌに接続することができるように構成されている。
【００１０】
また、かかるＣＡ通信を行っている移動局ＵＥは、かかるＰｃｅｌｌへの接続時に、上述のＳＣＣにおけるサービングセルであるＳｃｅｌｌを設定することができるように構成されている。
【００１１】
ここで、かかるＣＡ通信を行っている移動局ＵＥは、設定されたＳｃｅｌｌをアクティブ化（Ａｃｔｉｖａｔｉｏｎ）することによって、かかるＳｃｅｌｌに接続することができるように構成されている。
【００１２】
しかしながら、従来のＬＴＥ方式では、このようなＣＡ通信を行っている移動局ＵＥが、第１無線基地局ｅＮＢ配下から第２無線基地局ｅＮＢ配下にハンドオーバする場合には、かかるハンドオーバ手順において、第１無線基地局ｅＮＢは、第２無線基地局ｅＮＢに対して、「ＵＥ  ｈｉｓｔｏｒｙ  ｉｎｆｏｒｍａｔｉｏｎ」として、どのセルに係る履歴情報を送信するべきかについて判断することができないという問題点があった。
【００１３】
そこで、本発明は、上述の課題に鑑みてなされたものであり、ＣＡ通信を行っている移動局ＵＥのハンドオーバ手順において、「ＵＥ  ｈｉｓｔｏｒｙ  ｉｎｆｏｒｍａｔｉｏｎ」として、有効なセルに係る履歴情報を送信することができる移動通信方法及び無線基地局を提供することを目的とする。
【課題を解決するための手段】
【００１４】
本発明の第１の特徴は、移動通信方法であって、上りリンク又は下りリンクの少なくとも一方で、搬送波周波数が異なる主キャリア及び副キャリアを用いた通信を行っている移動局が、第１無線基地局配下から第２無線基地局配下にハンドオーバする場合に、該第１無線基地局が、該第２無線基地局に対して、該移動局が該第１無線基地局配下で接続していた主キャリアのサービングセル及び副キャリアにおけるサービングセルに係る情報を送信する工程を有することを特徴とする。
【００１５】
本発明の第２の特徴は、無線基地局であって、上りリンク又は下りリンクの少なくとも一方で、搬送波周波数が異なる主キャリア及び副キャリアを用いた通信を行っている移動局が、前記無線基地局配下から他の無線基地局配下にハンドオーバする場合に、該他の無線基地局に対して、該移動局が該無線基地局配下で接続していた主キャリアのサービングセル及び副キャリアにおけるサービングセルに係る情報を送信するように構成されている送信部を具備することを要旨とする。
【発明の効果】
【００１６】
以上説明したように、本発明によれば、ＣＡ通信を行っている移動局ＵＥのハンドオーバ手順において、「ＵＥ  ｈｉｓｔｏｒｙ  ｉｎｆｏｒｍａｔｉｏｎ」として、有効なセルに係る履歴情報を送信することができる移動通信方法及び無線基地局を提供することができる。
【図面の簡単な説明】
【００１７】
【図１】本発明の第１の実施形態に係る移動通信システムについて説明するための図である。
【図２】本発明の第１の実施形態に係る移動通信システムで用いられる「ＵＥ  Ｈｉｓｔｏｒｙ  Ｉｎｆｏｒｍａｔｉｏｎ」の情報要素の一例を示す図である。
【図３】本発明の第１の実施形態に係る移動通信システムで用いられる「ＵＥ  Ｈｉｓｔｏｒｙ  Ｉｎｆｏｒｍａｔｉｏｎ」の情報要素の一例を示す図である。
【図４】本発明の第１の実施形態に係る移動通信システムで用いられる「ＵＥ  Ｈｉｓｔｏｒｙ  Ｉｎｆｏｒｍａｔｉｏｎ」の情報要素の一例を示す図である。
【図５】本発明の第１の実施形態に係る移動通信システムで用いられる「ＵＥ  Ｈｉｓｔｏｒｙ  Ｉｎｆｏｒｍａｔｉｏｎ」の情報要素の一例を示す図である。
【図６】従来の移動通信システムについて説明するための図である。
【発明を実施するための形態】
【００１８】
（本発明の第１の実施形態に係る移動通信システム）
図１乃至図６を参照して、本発明の第１の実施形態に係る移動通信システムについて説明する。
【００１９】
本実施形態に係る移動通信システムは、ＬＴＥ-Ａｄｖａｎｃｅｄ方式の移動通信システムであって、本実施形態に係る移動通信システムにおいて、移動局ＵＥは、搬送周波数の異なる複数のＣＣを用いてＣＡ通信を行うことができるように構成されている。
【００２０】
例えば、図１の例では、移動局ＵＥは、無線基地局ｅＮＢ＃１配下でＰｃｅｌｌ＃１及びＳｃｅｌｌ＃１を用いてＣＡ通信を行っている第１状態から、無線基地局ｅＮＢ＃２配下でＰｃｅｌｌ＃２及びＳｃｅｌｌ＃２/＃４を用いてＣＡ通信を行う第２状態にハンドオーバした後、かかる第２状態から、無線基地局ｅＮＢ＃３配下でＰｃｅｌｌ＃３及びＳｃｅｌｌ＃３を用いてＣＡ通信を行う第３状態にハンドオーバするように構成されている。
【００２１】
第１に、移動局ＵＥが、第１状態から第２状態にハンドオーバする場合には、かかるハンドオーバ手順（例えば、Ｓ１/Ｘ２ハンドオーバ手順）において、無線基地局ｅＮＢ＃１の送信部が、Ｓ１/Ｘ２インターフェイスを介して、無線基地局ｅＮＢ＃２に対して、「ＵＥ  Ｈｉｓｔｏｒｙ  Ｉｎｆｏｒｍａｔｉｏｎ」を送信するように構成されている。
【００２２】
具体的には、無線基地局ｅＮＢ＃１の送信部は、無線基地局ｅＮＢ＃２に対して、「ＵＥ  Ｈｉｓｔｏｒｙ  Ｉｎｆｏｒｍａｔｉｏｎ」によって、移動局ＵＥが無線基地局ｅＮＢ＃１配下で接続していたＰＣｅｌｌ＃１及びＳｃｅｌｌ＃１に係る情報を送信するように構成されている。
【００２３】
例えば、無線基地局ｅＮＢ＃１の送信部は、無線基地局ｅＮＢ＃２に対して、「ＵＥ  Ｈｉｓｔｏｒｙ  Ｉｎｆｏｒｍａｔｉｏｎ」によって、Ｐｃｅｌｌ＃１に係る情報として、Ｐｃｅｌｌ＃１の「Ｃｅｌｌ  ＩＤ」を送信し、Ｓｃｅｌｌ＃１に係る情報として、ＳＣｅｌｌ＃１の「Ｃｅｌｌ  ＩＤ」を送信するように構成されている。
【００２４】
また、無線基地局ｅＮＢ＃１の送信部は、無線基地局ｅＮＢ＃２に対して、「ＵＥ  Ｈｉｓｔｏｒｙ  Ｉｎｆｏｒｍａｔｉｏｎ」によって、Ｐｃｅｌｌ＃１に係る情報として、移動局ＵＥがＰｃｅｌｌ＃１において接続していた時間を送信し、Ｓｃｅｌｌ＃１に係る情報として、移動局ＵＥがＳｃｅｌｌ＃１をＲＲＣ（Ｒａｄｉｏ  Ｒｅｓｏｕｒｃｅ  Ｃｏｎｔｒｏｌ）で設定（ｃｏｎｆｉｇｕｒｅ）していた時間を送信するように構成されていてもよい。
【００２５】
また、無線基地局ｅＮＢ＃１の送信部は、無線基地局ｅＮＢ＃２に対して、「ＵＥ  Ｈｉｓｔｏｒｙ  Ｉｎｆｏｒｍａｔｉｏｎ」によって、Ｐｃｅｌｌ＃１に係る情報として、移動局ＵＥがＰｃｅｌｌ＃１において接続していた時間を送信し、Ｓｃｅｌｌ＃１に係る情報として、移動局ＵＥがＳｃｅｌｌ＃１をＲＲＣで設定し且つアクティブ化していた時間を送信するように構成されていてもよい。
【００２６】
図２及び図３に、３ＧＰＰのＴＳ３６.４１３若しくはＴＳ３６.４２３に規定されている既存の「ＵＥ  Ｈｉｓｔｏｒｙ  Ｉｎｆｏｒｍａｔｉｏｎ」の情報要素について示す。
【００２７】
例えば、無線基地局ｅＮＢ＃１の送信部は、無線基地局ｅＮＢ＃２に対して、既存の「ＵＥ  Ｈｉｓｔｏｒｙ  Ｉｎｆｏｒｍａｔｉｏｎ」の情報要素「Ｌａｓｔ  Ｖｉｓｉｔｅｄ  Ｅ-ＵＴＲＡＮ  Ｃｅｌｌ  Ｉｎｆｏｒｍａｔｉｏｎ」の情報要素「Ｇｌｏｂａｌ  Ｃｅｌｌ  ＩＤ」によって、Ｐｃｅｌｌ＃１の「Ｃｅｌｌ  ＩＤ」を送信し、かかる情報要素「Ｌａｓｔ  Ｖｉｓｉｔｅｄ  Ｅ-ＵＴＲＡＮ  Ｃｅｌｌ  Ｉｎｆｏｒｍａｔｉｏｎ」の情報要素「Ｔｉｍｅ  ＵＥ  ｓｔａｙｅｄ  ｉｎ  Ｃｅｌｌ」によって、移動局ＵＥがＰｃｅｌｌ＃１において接続していた時間を送信するように構成されていてもよい。
【００２８】
また、無線基地局ｅＮＢ＃１の送信部は、無線基地局ｅＮＢ＃２に対して、図４に示すように、既存の「ＵＥ  Ｈｉｓｔｏｒｙ  Ｉｎｆｏｒｍａｔｉｏｎ」の情報要素「Ｌａｓｔ  Ｖｉｓｉｔｅｄ  Ｅ-ＵＴＲＡＮ  Ｃｅｌｌ  Ｉｎｆｏｒｍａｔｉｏｎ」に追加される新たな情報要素「Ｌａｓｔ  ＶｉｓｉｔｅｄＳＣｅｌｌ  Ｌｉｓｔ」の情報要素「Ｇｌｏｂａｌ  Ｃｅｌｌ  ＩＤ」によって、Ｓｃｅｌｌ＃１の「Ｃｅｌｌ  ＩＤ」を送信し、かかる情報要素「Ｌａｓｔ  ＶｉｓｉｔｅｄＳＣｅｌｌ  Ｌｉｓｔ」の情報要素「Ｃｏｎｆｉｇｕｒｅｄ  ｏｒ  Ａｃｔｉｖｅｄ  ｔｉｍｅ」によって、移動局ＵＥがＳｃｅｌｌ＃１をＲＲＣで設定していた時間を送信するように構成されていてもよい。
【００２９】
ここで、無線基地局ｅＮＢ＃１の送信部は、無線基地局ｅＮＢ＃２に対して、かかる情報要素「Ｌａｓｔ  ＶｉｓｉｔｅｄＳＣｅｌｌ  Ｌｉｓｔ」の情報要素「Ｃｏｎｆｉｇｕｒｅｄ  ｏｒ  Ａｃｔｉｖｅｄ  ｔｉｍｅ」によって、移動局ＵＥがＳｃｅｌｌ＃１をＲＲＣで設定し且つアクティブ化していた時間を送信するように構成されていてもよい。
【００３０】
或いは、図５に示すように、無線基地局ｅＮＢ＃１の送信部は、無線基地局ｅＮＢ＃２に対して、既存の「ＵＥ  Ｈｉｓｔｏｒｙ  Ｉｎｆｏｒｍａｔｉｏｎ」の情報要素「Ｌａｓｔ  Ｖｉｓｉｔｅｄ  Ｅ-ＵＴＲＡＮ  Ｃｅｌｌ  Ｉｎｆｏｒｍａｔｉｏｎ」に新たに追加される情報要素「Ｃａｒｒｉｅｒ  Ａｇｇｒｅｇａｔｉｏｎ  Ｃｅｌｌ  Ｔｙｐｅ」を「Ｐｃｅｌｌ」に設定することによって、上述の情報要素「Ｇｌｏｂａｌ  Ｃｅｌｌ  ＩＤ」によって、Ｐｃｅｌｌ＃１の「Ｃｅｌｌ  ＩＤ」を送信し、上述の情報要素「Ｔｉｍｅ  ＵＥ  ｓｔａｙｅｄ  ｉｎ  Ｃｅｌｌ」によって、移動局ＵＥがＰｃｅｌｌ＃１において接続していた時間を送信するように構成されていてもよい。
【００３１】
また、図５に示すように、無線基地局ｅＮＢ＃１の送信部は、無線基地局ｅＮＢ＃２に対して、上述の情報要素「Ｃａｒｒｉｅｒ  Ａｇｇｒｅｇａｔｉｏｎ  Ｃｅｌｌ  Ｔｙｐｅ」を「Ｓｃｅｌｌ」に設定することによって、上述の情報要素「Ｇｌｏｂａｌ  Ｃｅｌｌ  ＩＤ」によって、Ｓｃｅｌｌ＃１の「Ｃｅｌｌ  ＩＤ」を送信し、上述の情報要素「Ｔｉｍｅ  ＵＥ  ｓｔａｙｅｄ  ｉｎ  Ｃｅｌｌ」によって、移動局ＵＥがＳｃｅｌｌ＃１をＲＲＣで設定していた時間を送信するように構成されていてもよい。
【００３２】
ここで、無線基地局ｅＮＢ＃１の送信部は、無線基地局ｅＮＢ＃２に対して、上述の情報要素「Ｃａｒｒｉｅｒ  Ａｇｇｒｅｇａｔｉｏｎ  Ｃｅｌｌ  Ｔｙｐｅ」を「Ｓｃｅｌｌ」に設定することによって、上述の情報要素「Ｇｌｏｂａｌ  Ｃｅｌｌ  ＩＤ」によって、Ｓｃｅｌｌ＃１の「Ｃｅｌｌ  ＩＤ」を送信し、上述の情報要素「Ｔｉｍｅ  ＵＥ  ｓｔａｙｅｄ  ｉｎ  Ｃｅｌｌ」によって、移動局ＵＥがＳｃｅｌｌ＃１をＲＲＣで設定し且つアクティブ化していた時間を送信するように構成されていてもよい。
【００３３】
図１の例では、無線基地局ｅＮＢ＃１の送信部は、無線基地局ｅＮＢ＃２に対して、「ＵＥ  ｈｉｓｔｏｒｙ  ｉｎｆｏｒｍａｔｉｏｎ」として、Ｐｃｅｌｌ＃１において１６秒間接続していたことを示す情報や、Ｓｃｅｌｌ＃１を３０秒間ＲＲＣで設定していたことを示す情報（或いは、Ｓｃｅｌｌ＃１を３０秒間ＲＲＣで設定し且つアクティブ化していたことを示す情報）等を送信する。
【００３４】
第２に、移動局ＵＥが、第２状態から第３状態にハンドオーバする場合には、かかるハンドオーバ手順（例えば、Ｓ１/Ｘ２ハンドオーバ手順）において、無線基地局ｅＮＢ＃２の送信部が、Ｓ１/Ｘ２インターフェイスを介して、無線基地局ｅＮＢ＃３に対して、「ＵＥ  Ｈｉｓｔｏｒｙ  Ｉｎｆｏｒｍａｔｉｏｎ」を送信するように構成されている。
【００３５】
具体的には、無線基地局ｅＮＢ＃２の送信部は、無線基地局ｅＮＢ＃３に対して、「ＵＥ  Ｈｉｓｔｏｒｙ  Ｉｎｆｏｒｍａｔｉｏｎ」によって、移動局ＵＥが無線基地局ｅＮＢ＃２配下で接続していたＰＣｅｌｌ＃２及びＳｃｅｌｌ＃２/＃４に係る情報を送信するように構成されている。
【００３６】
例えば、無線基地局ｅＮＢ＃２の送信部は、無線基地局ｅＮＢ＃３に対して、「ＵＥ  Ｈｉｓｔｏｒｙ  Ｉｎｆｏｒｍａｔｉｏｎ」によって、Ｐｃｅｌｌ＃２に係る情報として、Ｐｃｅｌｌ＃２の「Ｃｅｌｌ  ＩＤ」を送信し、Ｓｃｅｌｌ＃２/＃４に係る情報として、ＳＣｅｌｌ＃２/＃４の「Ｃｅｌｌ  ＩＤ」を送信するように構成されている。
【００３７】
また、無線基地局ｅＮＢ＃２の送信部は、無線基地局ｅＮＢ＃３に対して、「ＵＥ  Ｈｉｓｔｏｒｙ  Ｉｎｆｏｒｍａｔｉｏｎ」によって、Ｐｃｅｌｌ＃２に係る情報として、移動局ＵＥがＰｃｅｌｌ＃２において接続していた時間を送信し、Ｓｃｅｌｌ＃２/＃４に係る情報として、移動局ＵＥがＳｃｅｌｌ＃２/＃４をＲＲＣで設定していた時間を送信するように構成されていてもよい。
【００３８】
また、無線基地局ｅＮＢ＃２の送信部は、無線基地局ｅＮＢ＃３に対して、「ＵＥ  Ｈｉｓｔｏｒｙ  Ｉｎｆｏｒｍａｔｉｏｎ」によって、Ｐｃｅｌｌ＃２に係る情報として、移動局ＵＥがＰｃｅｌｌ＃２において接続していた時間を送信し、Ｓｃｅｌｌ＃２/＃４に係る情報として、移動局ＵＥがＳｃｅｌｌ＃２/＃４をＲＲＣで設定し且つアクティブ化していた時間を送信するように構成されていてもよい。
【００３９】
ここで、無線基地局ｅＮＢ＃２の送信部は、無線基地局ｅＮＢ＃１の送信部と同様に、無線基地局ｅＮＢ＃３に対して、図２乃至図５に示す「ＵＥ  Ｈｉｓｔｏｒｙ  Ｉｎｆｏｒｍａｔｉｏｎ」によって、移動局ＵＥが無線基地局ｅＮＢ＃２配下で接続していたＰＣｅｌｌ＃１及びＳｃｅｌｌ＃１に係る情報を送信するように構成されていてもよい。
【００４０】
また、無線基地局ｅＮＢ＃２の送信部は、無線基地局ｅＮＢ＃３に対して、「ＵＥ  Ｈｉｓｔｏｒｙ  Ｉｎｆｏｒｍａｔｉｏｎ」によって、移動局ＵＥが無線基地局ｅＮＢ＃２配下で接続していたＰＣｅｌｌ＃２及びＳｃｅｌｌ＃２/＃４に係る情報に加えて、移動局ＵＥが無線基地局ｅＮＢ＃１配下で接続していたＰＣｅｌｌ＃１及びＳｃｅｌｌ＃１に係る情報を送信するように構成されていてもよい。
【００４１】
すなわち、無線基地局ｅＮＢ＃２の送信部は、無線基地局ｅＮＢ＃３に対して、所定期間の間に、移動局ＵＥが接続していたＰＣｅｌｌ及びＳｃｅｌｌに係る情報を送信するように構成されている。
【００４２】
図１の例では、無線基地局ｅＮＢ＃２の送信部は、無線基地局ｅＮＢ＃３に対して、「ＵＥ  ｈｉｓｔｏｒｙ  ｉｎｆｏｒｍａｔｉｏｎ」として、Ｐｃｅｌｌ＃１において１６秒間接続していたことを示す情報や、Ｓｃｅｌｌ＃１を３０秒間ＲＲＣで設定していたことを示す情報（或いは、Ｓｃｅｌｌ＃１を３０秒間ＲＲＣで設定し且つアクティブ化していたことを示す情報）や、Ｐｃｅｌｌ＃２において３０秒間接続していたことを示す情報や、Ｓｃｅｌｌ＃２を５秒間ＲＲＣで設定していたことを示す情報（或いは、Ｓｃｅｌｌ＃２を５秒間ＲＲＣで設定し且つアクティブ化していたことを示す情報）や、Ｓｃｅｌｌ＃４を２０秒間ＲＲＣで設定していたことを示す情報（或いは、Ｓｃｅｌｌ＃４を２０秒間ＲＲＣで設定し且つアクティブ化していたことを示す情報）等を送信する。
【００４３】
本発明の第１の実施形態に係る移動通信システムによれば、無線基地局ｅＮＢが、「ＵＥ  ｈｉｓｔｏｒｙ  ｉｎｆｏｒｍａｔｉｏｎ」によって、移動局ＵＥが周辺無線基地局ｅＮＢにおいて過去に設定されたＳｃｅｌｌの数を知ることができる。
【００４４】
さらに、無線基地局ｅＮＢは、移動局ＵＥのＡＳ（Ａｃｃｅｓｓ  Ｓｔｒａｔｕｍ）能力（Ｃａｐａｂｉｌｉｔｙ）として、設定可能なＳｃｅｌｌの最大数を知っているため、かかる設定可能なＳｃｅｌｌの数及び周辺無線基地局ｅＮＢで設定されたＳｃｅｌｌの数に基づいて、設定可能なＳｃｅｌｌの最大数だけ設定されたことがある無線基地局ｅＮＢに対して、移動局ＵＥをハンドオーバさせることができる。
【００４５】
また、本発明の第１の実施形態に係る移動通信システムによれば、無線基地局ｅＮＢは、複数の移動局ＵＥからの「ＵＥ  ｈｉｓｔｏｒｙ  ｉｎｆｏｒｍａｔｉｏｎ」によって、周辺無線基地局ｅＮＢにおいて、どのセルが、どの移動局ＵＥによってＰｃｅｌｌとして設定されているかについて知ることができる。
【００４６】
その結果、無線基地局ｅＮＢは、ハンドオーバ手順において、ハンドオーバ先無線基地局ｅＮＢを選択する際に、負荷分散を考慮することができる。
【００４７】
以上に述べた本実施形態の特徴は、以下のように表現されていてもよい。
【００４８】
本実施形態の第１の特徴は、移動通信方法であって、上りリンク又は下りリンクの少なくとも一方で、搬送波周波数が異なるＰＣＣ（主キャリア）及びＳＣＣ（副キャリア）を用いたＣＡ通信を行っている移動局ＵＥが、無線基地局ｅＮＢ＃１（第１無線基地局）配下から無線基地局ｅＮＢ＃２（第２無線基地局）配下にハンドオーバする場合に、無線基地局ｅＮＢ＃１が、無線基地局ｅＮＢ＃２に対して、移動局ＵＥが無線基地局ｅＮＢ＃１配下で接続していたＰＣｅｌｌ＃１（主キャリアのサービングセル）及びＳｃｅｌｌ＃１（副キャリアにおけるサービングセル）に係る情報を送信する工程を有することを要旨とする。
【００４９】
本実施形態の第１の特徴において、上述の工程において、無線基地局ｅＮＢ＃１は、無線基地局ｅＮＢ＃２に対して、Ｐｃｅｌｌ＃１に係る情報として、移動局ＵＥがＰｃｅｌｌ＃１において接続していた時間を送信し、Ｓｃｅｌｌ＃１に係る情報として、移動局ＵＥがＳｃｅｌｌ＃１を設定していた時間を送信してもよい。
【００５０】
本実施形態の第１の特徴において、上述の工程において、無線基地局ｅＮＢ＃１は、無線基地局ｅＮＢ＃２に対して、Ｐｃｅｌｌ＃１に係る情報として、移動局ＵＥがＰｃｅｌｌ＃１において接続していた時間を送信し、Ｓｃｅｌｌ＃１に係る情報として、移動局ＵＥがＳｃｅｌｌ＃１を設定し且つアクティブ化していた時間を送信してもよい。
【００５１】
本実施形態の第２の特徴は、無線基地局ｅＮＢ＃１であって、上りリンク又は下りリンクの少なくとも一方で、搬送波周波数が異なるＰＣＣ及びＳＣＣを用いたＣＡ通信を行っている移動局ＵＥが、無線基地局ｅＮＢ＃１配下から無線基地局ｅＮＢ＃２配下にハンドオーバする場合に、無線基地局ｅＮＢ＃２に対して、移動局ＵＥが無線基地局ｅＮＢ＃１配下で接続していたＰＣｅｌｌ＃１及びＳｃｅｌｌ＃１に係る情報を送信するように構成されている送信部を具備することを要旨とする。
【００５２】
本実施形態の第２の特徴において、上述の送信部は、無線基地局ｅＮＢ＃２に対して、Ｐｃｅｌｌ＃１に係る情報として、移動局ＵＥがＰｃｅｌｌ＃１において接続していた時間を送信し、Ｓｃｅｌｌ＃１に係る情報として、移動局ＵＥがＳｃｅｌｌ＃１を設定していた時間を送信するように構成されていてもよい。
【００５３】
本実施形態の第２の特徴において、上述の送信部は、無線基地局ｅＮＢ＃２に対して、Ｐｃｅｌｌ＃１に係る情報として、移動局ＵＥがＰｃｅｌｌ＃１において接続していた時間を送信し、Ｓｃｅｌｌ＃１に係る情報として、移動局ＵＥがＳｃｅｌｌ＃１を設定し且つアクティブ化していた時間を送信するように構成されていてもよい。
【００５４】
なお、上述の無線基地局ｅＮＢや移動局ＵＥ等の動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ等内に設けられていてもよい。また、かかる記憶媒体及びプロセッサは、ディスクリートコンポーネントとして無線基地局ｅＮＢや移動局ＵＥ等内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
ｅＮＢ＃１、ｅＮＢ＃２、ｅＮＢ＃３…無線基地局
ＵＥ…移動局
【図１】
0005438046.tif 000002
【図２】
0005438046.tif 000003
【図３】
0005438046.tif 000004
【図４】
0005438046.tif 000005
【図５】
0005438046.tif 000006
【図６】
0005438046.tif 000007